(57)【要約】【課題】  その高調波が周波数チャンネルのいずれかに一致するクロック信号を用いつつ、選択されている周波数チャネルに対し、上記クロック信号がノイズ源となるのを抑制することができる携帯電話機を提供することを目的とする。【解決手段】  テレビ放送受信用アンテナ１６で受信しようとするテレビ放送波の周波数チャンネルと、電圧センサ２１で検出されるクロック発振器１８への供給電圧とに基づいて、クロック制御回路１７から同軸ケーブル２５を介して表示部９へ伝送されるクロック信号の周波数を制御する。これにより、選択された周波数チャンネル及び電圧検出結果に基づいて、クロック信号の周波数を制御することができるので、その高調波が周波数チャンネルのいずれかに一致するクロック信号を用いつつ、選択されている周波数チャネルに対し、上記クロック信号がノイズ源となるのを抑制することができる。【選択図】  図２
2008017322.tif 000002
【特許請求の範囲】
【請求項１】
複数の周波数チャンネルの中からいずれかの周波数チャンネルを選択するチャンネル選択手段と、
上記チャンネル選択手段によって選択された周波数チャンネルの無線信号を受信する受信手段と、
その高調波が上記周波数チャンネルのいずれかに一致する周波数からなるクロック信号を発生するクロック発生手段と、
上記クロック発生手段への供給電圧を検出する電圧検出手段と、
上記チャンネル選択手段によって選択された周波数チャンネル及び上記電圧検出手段による電圧検出結果に基づいて、上記クロック発生手段を制御し、上記クロック信号の周波数を制御する周波数制御手段とを備えたことを特徴とする携帯電話機。
【請求項２】
上記周波数制御手段は、選択された周波数チャンネルが上記クロック信号の高調波の周波数に一致するか否かを判別し、その判別結果に基づいて、上記クロック信号の周波数を制御することを特徴とする請求項１に記載の携帯電話機。
【請求項３】
上記チャンネル選択手段は、３以上の周波数チャンネルの中からいずれかの周波数チャンネルを選択し、
上記周波数制御手段は、選択された周波数チャンネルが上記クロック信号の高調波の周波数に一致する場合に、一致しない場合に比べて、上記クロック信号の周波数を低下させることを特徴とする請求項２に記載の携帯電話機。
【請求項４】
表示部を有する第１筐体と、
上記クロック発生手段を有する第２筐体と、
上記第１筐体及び上記第２筐体を可動連結する可動連結部と、
上記可動連結部の内部に挿通され、上記クロック信号を上記クロック発生手段から上記表示部へ伝送する配線ケーブルとを備えたことを特徴とする請求項１に記載の携帯電話機。
【請求項５】
上記クロック信号発生手段は、供給電圧に応じて、その高調波が上記複数の周波数チャンネルの異なる周波数チャンネルと一致する周波数からなるクロック信号を発生することを特徴とする請求項１に記載の携帯電話機。
【発明の詳細な説明】
【技術分野】
【０００１】
本発明は、携帯電話機に係り、さらに詳しくは、テレビ放送波などの無線信号を受信可能な携帯電話機の改良に関する。
【背景技術】
【０００２】
携帯電話機には、プロセッサ、表示装置、撮像装置、セルラー無線通信部などの各モジュールとともに、クロック発振器が内蔵されており、各モジュールは、クロック発振器から供給されるクロック信号に基づいて動作している。このクロック信号の周波数は、携帯電話機の機能向上に伴って高速化されてきた。例えば、表示装置の場合であれば、表示画像の高精細化に伴って、また、撮像装置の場合であれば、撮像画像の高精細化に伴って、より周波数の高いクロック信号が必要とされるようになってきた。
【０００３】
このようなクロック信号の高速化によって、クロック周波数が無線信号の周波数に近づき、クロック信号線から輻射される高調波が無線信号の周波数に与える影響が大きくなってきた。つまり、クロック信号が携帯電話機内のノイズ源になりつつある。例えば、クロック信号の高調波が、セルラー通信のための制御チャンネルや通話チャンネルの周波数と一致すれば、通信品質を劣化させてしまう。同様にして、テレビ受信機能を有する携帯電話機であれば、クロック信号の高調波がテレビ放送波の周波数チャンネルと一致することにより、受像画質を低下させてしまう。
【０００４】
このようなクロック信号に起因するノイズを抑制する方法として、例えば、クロック信号線にフィルタやコンデンサ等の部品を設けたり、あるいは、クロック信号線にシールド加工を施したりすることによって、高調波の輻射を抑制することが考えられる。しかしながら、高調波の輻射を完全に抑制することは容易ではなかった。特に、シールド加工は信号線を太くかつ重くしてしまうため、小型軽量であることが要求される携帯電話機では、クロック信号線に十分なシールド加工を施すことはできないという事情があった。さらに、折り畳み式の携帯電話機のように可動連結部を有する携帯電話機の場合、可動連結部内に配線ケーブルが配設されており、このような配線ケーブルは、基板上の配線パターンに比べて、高調波が輻射されやすいという問題があった。
【０００５】
このような問題に対処するために、クロック周波数を制御することにより、クロック信号の高調波が無線信号の周波数と一致しないようにする技術が提案されている（例えば、特許文献１〜３）。
【特許文献１】特開２００１−１６０７８８号公報
【特許文献２】特開２００２−２９０２６１号公報
【特許文献３】特開２００４−１７９８６１号公報
【発明の開示】
【発明が解決しようとする課題】
【０００６】
クロック信号の周波数は、クロック発振器への供給電圧によって変動することが知られており、その高調波であれば、供給電圧に応じてさらに大きく周波数が変動すると考えられる。このため、無線信号の周波数に基づいて、クロック信号の高調波と、無線信号の周波数とが一致しているか否かを判断することは容易ではなかった。その結果、上記従来技術によれば、クロック信号の高調波と、無線信号の周波数とが一致していないにもかかわらず、クロック信号の周波数を低下させていたり、また、クロック信号の周波数を変化させることによって、却ってノイズの影響を受けてしまうような場合があった。
【０００７】
さらに、周波数チャンネル間の周波数間隔が狭い場合には、電圧変化によって、クロック信号の高調波が、隣接する別の周波数チャンネルと一致するようになる場合があった。このような場合に、クロック信号の高調波が無線信号の周波数と確実に一致しないようにするためには、無線信号が割り当てられている周波数帯から高調波が大きくはずれるようにクロック信号の周波数を決定する必要がある。
【０００８】
しかしながら、使用可能なクロック周波数が制限されれば、設計上の自由度が失われ、コストアップや性能低下を招くという問題があった。すなわち、ノイズ対策のためにクロック周波数を高速化すれば、高速処理に対応した高価なモジュールが必要となる。一方、ノイズ対策のためにクロック周波数を低速化すれば、モジュールの持つ性能を十分に引き出すことができないという問題が生ずる。
【０００９】
本発明は、上記の事情に鑑みてなされたものであり、その高調波が周波数チャンネルのいずれかに一致するクロック信号を用いつつ、選択されている周波数チャネルに対し、上記クロック信号がノイズ源となるのを抑制することができる携帯電話機を提供することを目的とする。
【課題を解決するための手段】
【００１０】
第１の本発明による携帯電話機は、複数の周波数チャンネルの中からいずれかの周波数チャンネルを選択するチャンネル選択手段と、上記チャンネル選択手段によって選択された周波数チャンネルの無線信号を受信する受信手段と、その高調波が上記周波数チャンネルのいずれかに一致する周波数からなるクロック信号を発生するクロック発生手段と、上記クロック発生手段への供給電圧を検出する電圧検出手段と、上記チャンネル選択手段によって選択された周波数チャンネル及び上記電圧検出手段による電圧検出結果に基づいて、上記クロック発生手段を制御し、上記クロック信号の周波数を制御する周波数制御手段とを備えて構成される。
【００１１】
このような構成によれば、選択された周波数チャンネル及び電圧検出結果に基づいて、クロック信号の周波数を制御することができるため、選択された周波数チャンネルにクロック信号の高調波が一致することによって、当該周波数チャンネルにノイズが混入するのを回避することできる。すなわち、選択された周波数チャンネルに応じてクロック信号の周波数を制御することによって、クロック周波数として、いずれかの周波数チャンネルと一致する周波数を用いつつ、選択されている周波数チャンネルとは異なる周波数を使用することができる。また、検出電圧に応じてクロック信号の周波数を制御することにより、供給電圧によってクロック信号の高調波が変化する場合であっても、選択された周波数チャンネルにクロック信号の高調波が一致しないようにクロック発生手段を制御することができる。
【００１２】
第２の本発明による携帯電話機は、上記構成に加えて、上記周波数制御手段が、選択された周波数チャンネルが上記クロック信号の高調波の周波数に一致するか否かを判別し、その判別結果に基づいて、上記クロック信号の周波数を制御するように構成される。
【００１３】
このような構成によれば、選択された周波数チャンネル及び電圧検出結果に基づいて、周波数チャンネルがクロック信号の高調波の周波数に一致するか否かを判別し、その判別結果に基づいてクロック信号の周波数を制御することにより、クロック信号の高調波の周波数が選択された周波数チャンネルと一致し、受信手段が受信する無線信号にノイズが混入するのを確実に防止できる。
【００１４】
第３の本発明による携帯電話機は、上記構成に加えて、上記チャンネル選択手段が、３以上の周波数チャンネルの中からいずれかの周波数チャンネルを選択し、上記周波数制御手段が、選択された周波数チャンネルが上記クロック信号の高調波の周波数に一致する場合に、一致しない場合に比べて、上記クロック信号の周波数を低下させるように構成される。
【００１５】
このような構成によれば、選択された周波数チャンネルがクロック信号の高調波の周波数に一致しない場合には、比較的高い周波数でクロック信号を発生し、一致する場合には、クロック信号の周波数を低下させることができる。したがって、周波数チャンネルの数が３以上ある場合に、クロック信号の平均周波数の低下を抑制しつつ、選択された周波数チャンネルにノイズが混入するのを防止することができる。
【００１６】
第４の本発明による携帯電話機は、上記構成に加えて、表示部を有する第１筐体と、上記クロック発生手段を有する第２筐体と、上記第１筐体及び上記第２筐体を可動連結する可動連結部と、上記可動連結部の内部に挿通され、上記クロック信号を上記クロック発生手段から上記表示部へ伝送する配線ケーブルとを備えて構成される。
【００１７】
このような構成によれば、可動連結部の内部に挿通された配線ケーブルを介してクロック発生手段から表示部へ伝送されるクロック信号の高調波が、選択された周波数チャンネルと一致するのを確実に防止できる。回路基板上に形成される配線パターンと比べて、ケーブル状に形成された配線からは高調波が輻射されやすいため、このような配線ケーブルを介して伝送されるクロック信号の周波数を適切に制御することにより、クロック信号の高調波が受信しようとしている無線信号の周波数と一致してノイズが生じるのを効果的に防止できる。
【００１８】
第５の本発明による携帯電話機は、上記構成に加えて、上記クロック信号発生手段が、供給電圧に応じて、その高調波が上記複数の周波数チャンネルの異なる周波数チャンネルと一致する周波数からなるクロック信号を発生するように構成される。
【００１９】
電圧変化によって生ずるクロック信号の高調波の周波数変動幅に比べて、隣接する周波数チャンネルの周波数間隔（少なくとも最小の周波数間隔）がより狭い場合、電圧が変化すると、クロック信号の高調波が異なる周波数チャンネルと一致するようになる。このような場合であっても、選択された周波数チャンネル及び電圧検出結果に基づいて、クロック信号の周波数を制御することによって、当該周波数チャンネルにノイズを混入させることなく、かつ、クロック信号の周波数として、その高調波がこれらの周波数チャンネルが割り当てられた周波数帯域内となるような周波数を使用することが可能となる。
【発明の効果】
【００２０】
本発明によれば、選択された周波数チャンネル及び電圧検出結果に基づいて、クロック信号の周波数を制御することができる。したがって、その高調波が周波数チャンネルのいずれかに一致するクロック信号を用いつつ、選択されている周波数チャネルに対し、上記クロック信号がノイズ源となるのを抑制することができる。したがって、その高調波がこれらの周波数チャンネルの帯域から大きくはずれるようなクロック信号を用いる必要がなくなる。
【発明を実施するための最良の形態】
【００２１】
図１は、本発明の実施の形態による携帯電話機１の一例を示した外観図であり、（ａ）は筐体を展開した状態、（ｂ）は筐体を閉じた状態を示している。この携帯電話機１は、いわゆる折り畳み式の携帯電話機であり、それぞれ長方形形状に形成された表示筐体２及び操作筐体５がヒンジ部３を介して連結され、表示筐体２及び操作筐体５の筐体面を対向させた状態でコンパクトに折り畳むことができるようになっている。
【００２２】
表示筐体２には、折り畳んだ状態で操作筐体５に対向する内面にメイン表示器２ａ及び受話用レシーバ８が配置されている。メイン表示器２ａは、長方形形状の表示画面を有する液晶表示器からなり、その長手方向が表示筐体２の長手方向と一致するように配置されている。受話用レシーバ８は、通話時に相手方電話機からの音声を出力するための音声出力手段であり、表示筐体２におけるヒンジ部３と反対側の端部に配置されている。
【００２３】
操作筐体５には、折り畳んだ状態で表示筐体２に対向する内面に多数の操作キー４及び送話用マイクロホン７が配置されている。送話用マイクロホン７は、通話時にユーザの音声を入力するための音声入力手段であり、操作筐体５におけるヒンジ部３と反対側の端部に配置されている。
【００２４】
ヒンジ部３は、表示筐体２及び操作筐体５を可動連結する可動連結部であり、表示筐体２における長手方向の一端部に形成された円筒体３ａと、操作筐体５における長手方向の一端部に形成された円筒体３ｂとからなる。これらの円筒体３ａ，３ｂは、それぞれ表示筐体２及び操作筐体５の短手方向に軸線が延びるように形成されており、互いに同一軸線上に回転可能に取り付けられることにより、表示筐体２及び操作筐体５がヒンジ部３を介して回動可能に連結されている。
【００２５】
図２は、携帯電話機１の電気的構成の一例を示したブロック図である。この携帯電話機１の操作筐体５には、上述した操作キー４及び送話用マイクロホン７の他に、ＣＰＵ(Central Processing Unit)１０、セルラー無線通信部１１、通信用アンテナ１２、アナログチューナ１３、デジタルチューナ１４、チューナ切替スイッチ１５、テレビ放送受信用アンテナ１６、クロック制御回路１７、クロック発振器１８、カメラモジュール１９、スピーカ２０、電圧センサ２１、電源供給部２２及びクロック周波数テーブル記憶部Ｔなどが備えられている。また、表示筐体２には、メイン表示器２ａ及びＬＣＤ(Liquid Crystal Display)コントローラ２ｂからなる表示部９が備えられている。
【００２６】
この携帯電話機１を用いて相手方電話機との間で通話を行う場合には、セルラー無線通信部１１において、通信用アンテナ１２を介して基地局（図示せず）との間で無線信号が送受信される。基地局からの無線信号によってセルラー通信のための周波数チャンネルが割り当てられ、相手方電話機との間で通話状態が確立された状態では、ユーザの通話音に基づく音声信号がセルラー無線通信部１１から送信され、相手方電話機からの通話音に基づく音声信号がセルラー無線通信部１１で受信されることにより、通話音がリアルタイムで送受信される。基地局から通信用アンテナ１２を介して電子メール等の文字情報を受信した場合には、その文字情報がメイン表示器２ａの表示画面に表示される。
【００２７】
この携帯電話機１では、テレビ放送受信用アンテナ１６でテレビ放送波を受信して、受信したテレビ放送波に基づくテレビ画像をメイン表示器２ａの表示画面に表示するとともに、そのテレビ画像に対応するテレビ音声をスピーカ２０から出力することにより、テレビ放送を視聴することができる。テレビ局から発信されているテレビ放送波には、アナログ放送に対応するアナログテレビ放送波と、デジタル放送に対応するデジタルテレビ放送波とが含まれている。
【００２８】
テレビ放送受信用アンテナ１６は、チューナ切替スイッチ１５の切り替えによって、アナログチューナ１３又はデジタルチューナ１４の一方に接続することができるようになっている。したがって、アナログチューナ１３をテレビ放送受信用アンテナ１６に接続した状態では、アナログテレビ放送波を受信することができ、デジタルチューナ１４をテレビ放送受信用アンテナ１６に接続した状態では、デジタルテレビ放送波を受信することができる。デジタルチューナ１４を介して受信するデジタルテレビ放送波は、一般のデジタルハイビジョン放送波の一定帯域に割り当てられた携帯電話機向けの１セグメント放送波である。
【００２９】
アナログチューナ１３は、テレビ放送受信用アンテナ１６で受信されるアナログテレビ放送波から、選択された周波数チャンネルのアナログテレビ放送波を抽出する。また、デジタルチューナ１４は、テレビ放送受信用アンテナ１６で受信されるデジタルテレビ放送波から、選択された周波数チャンネルのデジタルテレビ放送波を抽出する。すなわち、ユーザが操作キー４を操作して周波数チャンネルを選択することにより、選択された周波数チャンネルのテレビ放送波がアナログチューナ１３又はデジタルチューナ１４により抽出され、その抽出されたテレビ放送波に基づくテレビ放送の視聴が可能になる。
【００３０】
ＶＨＦ(Very High Frequency)の周波数帯には、周波数に応じて「１」〜「１２」の周波数チャンネルが割り当てられている。また、ＵＨＦ(Ultra High Frequency)の周波数帯には、周波数に応じて「１３」〜「６２」の周波数チャンネルが割り当てられている。これらの周波数チャンネルのいずれかを選択して、その周波数チャンネルのテレビ放送波を受信することにより、周波数チャンネルに応じたテレビ放送を視聴することができる。一般的に、アナログテレビ放送波は、ＶＨＦの周波数チャンネル及びＵＨＦの周波数チャンネルにそれぞれ割り当てられている。一方、デジタルテレビ放送波は、ＵＨＦの周波数チャンネルのみが割り当てられており、ＶＨＦの周波数チャンネルは割り当てられていない。
【００３１】
ここで、デジタルテレビ放送波及びアナログテレビ放送波は、複数の周波数チャンネルの中で互いに重複しないように割り当てられている。すなわち、デジタルテレビ放送波が割り当てられている周波数チャンネルには、アナログテレビ放送波は割り当てられておらず、逆に、アナログテレビ放送波が割り当てられている周波数チャンネルには、デジタルテレビ放送波は割り当てられていない。したがって、アナログチューナ１３又はデジタルチューナ１４に対して周波数チャンネルを指定することにより、その周波数チャンネルに一対一に対応するアナログテレビ放送波又はデジタルテレビ放送波を受信することができるようになっている。
【００３２】
操作キー４は、複数の周波数チャンネルの中からいずれかの周波数チャンネルを選択するチャンネル選択手段として機能する。また、アナログチューナ１３、デジタルチューナ１４、チューナ切替スイッチ１５及びテレビ放送受信用アンテナ１６は、チャンネル選択手段によって選択された周波数チャンネルのテレビ放送波を受信する受信手段を構成している。
【００３３】
クロック発振器１８は、一定周期でクロック信号を発生している。携帯電話機１に備えられている各モジュールは、クロック発振器１８が発生するクロック信号に基づいて動作している。クロック制御回路１７には、各モジュールに対応付けられた複数の逓倍・分周器２３が備えられており、クロック発振器１８から発生したクロック信号は、逓倍・分周器２３で逓倍又は分周されて、対応するモジュールへ出力されるようになっている。クロック発振器１８及びクロック制御回路１７は、所定の周波数でクロック信号を発生するクロック発生手段を構成している。
【００３４】
ここで、携帯電話機１に備えられたモジュールには、上述した表示部９の他、被写体を撮影するための撮像装置としてのカメラモジュール１９などが含まれる。この例では、カメラモジュール１９は、複数の配線を可撓性フィルムで保持することにより形成されたフレキシブルケーブル２４を介して、対応する逓倍・分周器２３と電気的に接続されている。一方、表示部９は、同軸ケーブル２５を介して、対応する逓倍・分周器２３と電気的に接続されている。
【００３５】
同軸ケーブル２５は、配線の周囲を絶縁体で同軸上に覆い、その周囲をさらに導体で同軸上に覆うことにより形成され、一般的に、絶縁体としてポリエチレン、導体として細い銅線を編み込んだ編組線が用いられる。この例では、フレキシブルケーブル２４は、操作筐体５内にのみ配置されているのに対して、同軸ケーブル２５は、操作筐体５だけでなく、ヒンジ部３の内部を通って表示筐体２まで延びている。この同軸ケーブル２５は、回転や引張りによって外力を受けやすいヒンジ部３の内部を通っているので、ある程度の可撓性が必要であり、そのため、厳重なシールド加工を施すことは困難である。
【００３６】
同軸ケーブル２５は、２本の信号線からなる信号線対を２組有している。クロック制御回路１７で発生されたクロック信号は、一方の信号線対を介して表示部９へ伝送され、このクロック信号に同期したシリアルデータが、他方の信号線対を介して表示部９へ伝送される。クロック信号及びシリアルデータは、それぞれ信号線対を介してＬＶＤＳ(Low Voltage Differential Signal：低電圧差動信号)として表示部９へ伝送されることにより、高速なシリアル通信を実現することができるようになっている。
【００３７】
上記のフレキシブルケーブル２４や同軸ケーブル２５のように、クロック制御回路１７の各逓倍・分周器２３から対応するモジュールへクロック信号を伝送するクロック信号線からは、逓倍されたクロック周波数をさらに整数倍した周波数からなる高調波が輻射される。特に、同軸ケーブル２５は、多層配線技術を用いて回路基板上に多数の配線をグランド層で挟み込むことにより形成される配線パターンなどと比べて、高調波が輻射されやすいという特性がある。
【００３８】
電源供給部２２は、操作筐体５内に備えられた電池（図示せず）からクロック発振器１８などへ駆動電圧を供給している。電圧センサ２１は、電源供給部２２からクロック発振器１８へ供給される電圧を検出するための電圧検出手段である。電圧センサ２１から出力されたアナログ信号は、ＣＰＵ１０に備えられたＡ／Ｄ変換器２６によりデジタル信号に変換され、そのデジタル信号に基づいて、ＣＰＵ１０がクロック制御回路１７から出力されるクロック信号の周波数（以下、「クロック周波数」と呼ぶ。）を制御するようになっている。クロック周波数テーブル記憶部Ｔには、クロック周波数を制御する際に用いるクロック周波数テーブルが記憶されている。
【００３９】
図３は、クロック周波数を制御する際の処理の一例を示したブロック図である。図３に示すように、ＣＰＵ１０は、チャンネル判別部２７、テーブル比較部２８及び周波数決定部２９を備えている。ユーザが操作キー４を操作することにより、複数の周波数チャンネルの中からいずれかの周波数チャンネルが選択されると、その周波数チャンネルが特定の周波数チャンネルであるか否かをチャンネル判別部２７が判別する。
【００４０】
上述したＶＨＦの「１」〜「１２」の周波数チャンネル及びＵＨＦの「１３」〜「６２」の周波数チャンネルのうち一部の周波数チャンネルは、クロック発振器１８への供給電圧によっては、クロック信号線から輻射される高調波と干渉する場合がある。この例では、  クロック発振器１８への供給電圧が、基準電圧をＶ０として（Ｖ０−２ΔＶ）〜（Ｖ０＋２ΔＶ）の範囲であるときに、ＵＨＦの「ｎ」〜「ｎ＋４」の各周波数チャンネルが、同軸ケーブル２５から輻射されるクロック信号のｍ倍の高調波と一致する場合がある。チャンネル判別部２７は、選択された周波数チャンネルが、ＵＨＦの周波数チャンネル「ｎ」〜「ｎ＋４」のいずれかに該当するか否かを判別するようになっている。
【００４１】
テーブル比較部２８は、クロック周波数テーブル記憶部Ｔに記憶されているクロック周波数テーブルを読み出し、選択された周波数チャンネル及び電圧センサ２１による電圧検出結果をクロック周波数テーブルに照らし合わせる。その結果に基づいて、周波数決定部２９がクロック周波数を決定し、クロック制御回路１７へ入力することにより、クロック制御回路１７から同軸ケーブル２５を介して表示部９へ伝送されるクロック信号の周波数が制御される。
【００４２】
携帯電話機１の操作筐体５には、クロック周波数を制御する際に用いられる基準周波数が記憶された基準周波数記憶部３０が備えられている。基準周波数は、各モジュールをより高速で動作させるのに適した周波数としてモジュールごとに設定されており、各モジュールに対応するクロック周波数の最大値である。周波数決定部２９は、基準周波数記憶部３０に記憶されている基準周波数を用いてクロック周波数を決定するようになっている。
【００４３】
図４は、クロック周波数テーブルの一例を示した図である。クロック周波数テーブル記憶部Ｔに記憶されているクロック周波数テーブルには、上述した特定の周波数チャンネル「ｎ」〜「ｎ＋４」に対応付けて、一定電圧ごとにクロック周波数を制御するか否かを表すフラグが格納されている。この例では、各周波数チャンネル「ｎ」〜「ｎ＋４」について、Ｖ０−２ΔＶ、Ｖ０−ΔＶ、Ｖ０、Ｖ０＋ΔＶ、Ｖ０＋２ΔＶの各電圧にフラグが対応付けられている。
【００４４】
このクロック周波数テーブルにおいて、上記特定の周波数チャンネル「ｎ」〜「ｎ＋４」には、いずれか１つの電圧に対応付けて、クロック周波数を制御する旨を表すフラグ「１」が格納され、他の複数の電圧に対応付けて、クロック周波数を制御しない旨を表すフラグ「０」が格納されている。より具体的には、周波数チャンネル「ｎ」には、Ｖ０＋２ΔＶの電圧に対応付けてフラグ「１」が格納され、他の電圧に対応付けてフラグ「０」が格納されている。周波数チャンネル「ｎ＋１」には、Ｖ０＋ΔＶの電圧に対応付けてフラグ「１」が格納され、他の電圧に対応付けてフラグ「０」が格納されている。周波数チャンネル「ｎ＋２」には、Ｖ０の電圧に対応付けてフラグ「１」が格納され、他の電圧に対応付けてフラグ「０」が格納されている。周波数チャンネル「ｎ＋３」には、Ｖ０−ΔＶの電圧に対応付けてフラグ「１」が格納され、他の電圧に対応付けてフラグ「０」が格納されている。周波数チャンネル「ｎ＋４」には、Ｖ０−２ΔＶの電圧に対応付けてフラグ「１」が格納され、他の電圧に対応付けてフラグ「０」が格納されている。
【００４５】
このクロック周波数テーブルからも分かるように、電圧がＶ０＋２ΔＶのときには、周波数チャンネル「ｎ」が同軸ケーブル２５から輻射されるクロック信号のｍ倍の高調波と一致する。電圧がＶ０＋ΔＶのときには、周波数チャンネル「ｎ＋１」が同軸ケーブル２５から輻射されるクロック信号のｍ倍の高調波と一致する。電圧がＶ０のときには、周波数チャンネル「ｎ＋２」が同軸ケーブル２５から輻射されるクロック信号のｍ倍の高調波と一致する。電圧がＶ０−ΔＶのときには、周波数チャンネル「ｎ＋３」が同軸ケーブル２５から輻射されるクロック信号のｍ倍の高調波と一致する。電圧がＶ０−２ΔＶのときには、周波数チャンネル「ｎ＋４」が同軸ケーブル２５から輻射されるクロック信号のｍ倍の高調波と一致する。
【００４６】
図５は、クロック周波数を制御する際の態様を概略的に示した波形図であり、（ａ）は電圧がＶ０の場合、（ｂ）は電圧がＶ０＋２ΔＶの場合、（ｃ）は電圧がＶ０−２ΔＶの場合を示している。クロック発振器１８への供給電圧がＶ０の場合には、図５（ａ）に実線で示すように、周波数チャンネル「ｎ＋２」が同軸ケーブル２５から輻射されるクロック信号のｍ倍の高調波と一致する。そこで、供給電圧がＶ０のときに周波数チャンネル「ｎ＋２」が選択された場合には、クロック周波数を低下させることにより、破線で示すように高調波が周波数チャンネル「ｎ＋２」に干渉しないように制御する。この制御により、クロック信号のｍ倍の高調波は周波数チャンネル「ｎ＋１」に一致することとなる。
【００４７】
同様に、供給電圧がＶ０＋２ΔＶの場合には、図５（ｂ）に実線で示すように、周波数チャンネル「ｎ」が同軸ケーブル２５から輻射されるクロック信号のｍ倍の高調波と一致する。そこで、供給電圧がＶ０＋２ΔＶのときに周波数チャンネル「ｎ」が選択された場合には、クロック周波数を低下させることにより、破線で示すように高調波が周波数チャンネル「ｎ」に干渉しないように制御する。この制御により、クロック信号のｍ倍の高調波は周波数チャンネル「ｎ−１」に一致することとなる。
【００４８】
供給電圧がＶ０−２ΔＶの場合には、図５（ｃ）に実線で示すように、周波数チャンネル「ｎ＋４」が同軸ケーブル２５から輻射されるクロック信号のｍ倍の高調波と一致する。そこで、供給電圧がＶ０−２ΔＶのときに周波数チャンネル「ｎ＋４」が選択された場合には、クロック周波数を低下させることにより、破線で示すように高調波が周波数チャンネル「ｎ＋４」に干渉しないように制御する。この制御により、クロック信号のｍ倍の高調波は周波数チャンネル「ｎ＋３」に一致することとなる。
【００４９】
図５（ａ）〜（ｃ）に示すように、クロック信号の高調波の周波数はクロック発振器１８への供給電圧に応じて変動するといった特性があり、供給電圧が上がると低周波側へ遷移し、供給電圧が下がると高周波側へ遷移するようになっている。この例では、クロック信号の高調波が選択された周波数チャンネルと一致する場合に、クロック周波数を１００ｋＨｚだけ低下させるように制御される。ただし、クロック周波数の低下量は、１００ｋＨｚに限らず、クロック信号の高調波が周波数チャンネルに干渉しないようにすることができるような値であれば他の値であってもよい。
【００５０】
また、図５（ａ）〜（ｃ）に示すように、同軸ケーブル２５から輻射されるクロック信号のｍ倍の高調波は、クロック発振器１８への供給電圧に応じて、周波数チャンネル「ｎ」〜「ｎ＋４」の範囲で異なる周波数チャンネルと一致するようになっている。すなわち、供給電圧が変化するのに伴って、クロック信号のｍ倍の高調波が少なくとも２つの周波数チャンネルと一致するようになっている。このように、電圧変化によって生ずるクロック信号の高調波の周波数変動幅に比べて、隣接する周波数チャンネルの周波数間隔がより狭い場合、電圧が変化すると、クロック信号の高調波が異なる周波数チャンネルと一致するようになる。
【００５１】
このような場合であっても、選択された周波数チャンネル及び電圧検出結果に基づいて、クロック信号の周波数を制御することによって、当該周波数チャンネルにノイズを混入させることなく、かつ、クロック信号の周波数として、その高調波がこれらの周波数チャンネルが割り当てられた周波数帯域内となるような周波数を使用することが可能となる。
【００５２】
図６は、アナログチューナ１３又はデジタルチューナ１４を起動させた場合に行われる処理の一例を示したフローチャートである。ユーザが操作キー４を操作することにより、テレビを視聴するためのテレビアプリケーションが実行され、アナログチューナ１３又はデジタルチューナ１４が起動されると、電圧センサ２１によりクロック発振器１８への供給電圧の検出が開始される（ステップＳ１０１）。電圧センサ２１による供給電圧の検出は、テレビアプリケーションが実行されている間は常時行われるようになっている。
【００５３】
この携帯電話機１では、テレビアプリケーションの実行が停止されて、テレビの視聴が終了したときに、そのとき受信していた周波数チャンネルがメモリ（図示せず）に記憶されるようになっている。その後、再びテレビアプリケーションが実行された場合には、メモリに記憶されている周波数チャンネルが読み出され、その周波数チャンネルがアナログテレビ放送波及びデジタルテレビ放送波のいずれであるかに応じて、アナログチューナ１３又はデジタルチューナ１４が起動されるようになっている。したがって、テレビアプリケーションが実行されて、アナログチューナ１３又はデジタルチューナ１４が起動された場合には、前回のテレビアプリケーション終了時に受信していたテレビ放送波の周波数チャンネルが自動的に選択されることとなる。
【００５４】
このようにして選択された周波数チャンネルが、上述した特定の周波数チャンネル「ｎ」〜「ｎ＋４」でなければ（ステップＳ１０２でＮｏ）、クロック周波数が基準周波数に設定され（ステップＳ１０６）、選択された周波数チャンネルのテレビ放送波の受信が開始される（ステップＳ１０７）。一方、選択された周波数チャンネルが上記特定の周波数チャンネル「ｎ」〜「ｎ＋４」のいずれかである場合には（ステップＳ１０２でＹｅｓ）、クロック周波数テーブルが読み出され（ステップＳ１０３）、選択された周波数チャンネル及び電圧センサ２１で検出された供給電圧がクロック周波数テーブルに照らし合わせられる。
【００５５】
その結果、選択された周波数チャンネル及び検出された供給電圧に対応するクロック周波数テーブルの領域に、クロック周波数を制御する旨を表すフラグ「１」が格納されていれば（ステップＳ１０４でＹｅｓ）、クロック周波数が基準周波数よりも低い周波数に設定され（ステップＳ１０５）、選択された周波数チャンネルのテレビ放送波の受信が開始される（ステップＳ１０７）。
【００５６】
これに対して、選択された周波数チャンネル及び検出された供給電圧に対応するクロック周波数テーブルの領域に、クロック周波数を制御しない旨を表すフラグ「０」が格納されていれば（ステップＳ１０４でＮｏ）、クロック周波数が基準周波数に設定され（ステップＳ１０６）、選択された周波数チャンネルのテレビ放送波の受信が開始される（ステップＳ１０７）。
【００５７】
テレビ放送波の受信中は、電圧センサ２１により検出される供給電圧及び周波数チャンネルの変更の有無が監視されている。電圧センサ２１により検出される供給電圧が変化した場合には（ステップＳ１０８でＹｅｓ）、クロック周波数テーブルが読み出され（ステップＳ１０３）、検出された供給電圧及び選択されている周波数チャンネルがクロック周波数テーブルに照らし合わせられる。
【００５８】
その結果、検出された供給電圧及び選択されている周波数チャンネルに対応するクロック周波数テーブルの領域に、クロック周波数を制御する旨を表すフラグ「１」が格納されていれば（ステップＳ１０４でＹｅｓ）、クロック周波数が基準周波数よりも低い周波数に設定され（ステップＳ１０５）、クロック周波数を制御しない旨を表すフラグ「０」が格納されていれば（ステップＳ１０４でＮｏ）、クロック周波数が基準周波数に設定される（ステップＳ１０６）。
【００５９】
一方、ユーザが操作キー４を操作することにより周波数チャンネルが変更された場合には（ステップＳ１０９でＹｅｓ）、選択された周波数チャンネルが、上記特定の周波数チャンネル「ｎ」〜「ｎ＋４」であるか否かが判別される（ステップＳ１０２）。その後の処理は、上述した処理と同様である。
【００６０】
このように、テレビ放送波の受信中は、電圧センサ２１により検出される供給電圧及び周波数チャンネルの変更の有無が監視され、電圧センサ２１により検出される供給電圧が変化した場合、又は、周波数チャンネルが変更された場合に、クロック周波数を制御するための処理が行われることとなる。テレビ放送波の受信中に、ユーザが操作キー４を操作することによりテレビアプリケーションの実行が停止されると、チューナの駆動が停止され、テレビ放送波の受信が終了する（ステップＳ１１０でＹｅｓ）。
【００６１】
本実施の形態では、選択された周波数チャンネル及び電圧センサ２１による電圧検出結果に基づいて、クロック信号の周波数を制御することができるため、選択された周波数チャンネルにクロック信号の高調波が一致することによって、当該周波数チャンネルにノイズが混入するのを回避することできる。すなわち、選択された周波数チャンネルに応じてクロック信号の周波数を制御することによって、クロック周波数として、いずれかの周波数チャンネルと一致する周波数を用いつつ、選択されている周波数チャンネルとは異なる周波数を使用することができる。また、電圧センサ２１による検出電圧に応じてクロック信号の周波数を制御することにより、供給電圧によってクロック信号の高調波が変化する場合であっても、選択された周波数チャンネルにクロック信号の高調波が一致しないようにクロック周波数を制御することができる。
【００６２】
また、選択された周波数チャンネルがクロック信号の高調波の周波数に一致しない場合には、比較的高い周波数でクロック信号を発生し、一致する場合には、クロック信号の周波数を低下させることができる。したがって、周波数チャンネルの数が３以上ある場合に、クロック信号の平均周波数の低下を抑制しつつ、選択された周波数チャンネルにノイズが混入するのを防止することができる。
【００６３】
また、本実施の形態では、ヒンジ部３の内部に挿通された同軸ケーブル２５を介してクロック制御回路１７から表示部９へ伝送されるクロック信号の高調波が、選択された周波数チャンネルと一致するのを確実に防止できる。回路基板上に形成される配線パターンと比べて、ケーブル状に形成された配線からは高調波が輻射されやすいため、このような同軸ケーブル２５を介して伝送されるクロック信号の周波数を適切に制御することにより、クロック信号の高調波が受信しようとしている無線信号の周波数と一致してノイズが生じるのを効果的に防止できる。
【００６４】
以上の実施の形態では、クロック信号の高調波が選択された周波数チャンネルと一致する場合に、クロック周波数を基準周波数に対して低下させるような構成について説明したが、このような構成に限らず、基準周波数に対して上昇させるような構成であってもよい。この場合、基準周波数は、各モジュールに対応するクロック周波数の最大値よりも低く設定されていてもよい。
【００６５】
また、クロック信号の高調波が選択された周波数チャンネルと一致する場合に、クロック周波数を基準周波数に対して低下させる制御と上昇させる制御とを交互に行うようになっていてもよい。あるいは、クロック周波数を低下させたか又は上昇させたかを表す履歴を記憶しておき、その履歴に基づいてクロック周波数を低下させるか又は上昇させるかを決定するようになっていてもよい。
【００６６】
上記実施の形態では、同軸ケーブル２５から輻射されるクロック信号の高調波が選択された周波数チャンネルと一致する場合に、クロック周波数を制御するような構成について説明したが、このような構成に限らず、回路基板上に形成される配線パターン以外の配線、例えばフレキシブルケーブル２４から輻射されるクロック信号の高調波が選択された周波数チャンネルと一致する場合に、クロック周波数を制御するような構成であってもよい。
【００６７】
また、選択されたテレビ放送波の周波数チャンネルがクロック信号の高調波と一致する場合に、クロック周波数を制御するような構成に限らず、テレビ放送波以外の無線信号、例えばセルラー無線通信部１１で受信される無線信号の周波数チャンネルがクロック信号の高調波と一致する場合に、クロック周波数を制御するような構成であってもよい。この場合、基地局からの無線信号によってセルラー通信のための周波数チャンネルが割り当てられたときに、その周波数チャンネル及び電圧センサ２１による電圧検出結果に基づいて、クロック信号の周波数を制御するようになっていてもよい。
【図面の簡単な説明】
【００６８】
【図１】本発明の実施の形態による携帯電話機の一例を示した外観図であり、（ａ）は筐体を展開した状態、（ｂ）は筐体を閉じた状態を示している。
【図２】携帯電話機の電気的構成の一例を示したブロック図である。
【図３】クロック周波数を制御する際の処理の一例を示したブロック図である。
【図４】クロック周波数テーブルの一例を示した図である。
【図５】クロック周波数を制御する際の態様を概略的に示した波形図であり、（ａ）は電圧がＶ０の場合、（ｂ）は電圧がＶ０＋２ΔＶの場合、（ｃ）は電圧がＶ０−２ΔＶの場合を示している。
【図６】アナログチューナ又はデジタルチューナを起動させた場合に行われる処理の一例を示したフローチャートである。
【符号の説明】
【００６９】
１  携帯電話機
２  表示筐体
３  ヒンジ部
４  操作キー
５  操作筐体
９  表示部
１０  ＣＰＵ
１１  セルラー無線通信部
１２  通信用アンテナ
１３  アナログチューナ
１４  デジタルチューナ
１５  チューナ切替スイッチ
１６  テレビ放送受信用アンテナ
１７  クロック制御回路
１８  クロック発振器
１９  カメラモジュール
２０  スピーカ
２１  電圧センサ
２２  電源供給部
２３  逓倍・分周器
２４  フレキシブルケーブル
２５  同軸ケーブル
２６  Ａ／Ｄ変換器
２７  チャンネル判別部
２８  テーブル比較部
２９  周波数決定部
３０  基準周波数記憶部
Ｔ  クロック周波数テーブル記憶部
【図１】
2008017322.tif 000003
【図２】
2008017322.tif 000004
【図３】
2008017322.tif 000005
【図４】
2008017322.tif 000006
【図５】
2008017322.tif 000007
【図６】
2008017322.tif 000008